(57)【要約】【課題】薄型表示装置の表示面に触れることなく、薄型表示装置を容易に開梱したり設置したりすることができるようにする。【解決手段】薄型表示装置用の収容ケース１は、板状に形成された薄型表示装置を収容する収容空間１３及び該収容空間を一方向に開放する開口部１４を有するケース本体１１と、収容空間の外側に突出するようにケース本体に設けられたハンドル部１２と、を備える。【選択図】図１
2020064097.tif 000002
【特許請求の範囲】
【請求項１】
板状に形成された薄型表示装置を収容する収容空間及び該収容空間を一方向に開放する開口部を有するケース本体と、
前記収容空間の外側に突出するように前記ケース本体に設けられたハンドル部と、を備える薄型表示装置用の収容ケース。
【請求項２】
前記ケース本体は、
帯板状に形成されて前記薄型表示装置を支持する支持板部と、
前記支持板部の幅方向の両端部から前記支持板部の板厚方向に延びて、前記収容空間に配された前記薄型表示装置の表示面及び該表示面と反対側に向く背面をそれぞれ覆う一対のカバー板部と、を含み、
前記開口部が、前記一対のカバー板部の延長方向の先端によって画成されている請求項１に記載の薄型表示装置用の収容ケース。
【請求項３】
前記一対のカバー板部のうち前記薄型表示装置の背面を覆う背面カバー板部には、当該背面カバー板部の板厚方向に貫通し、前記収容空間に配された前記薄型表示装置の背面の一部を前記収容空間の外側に露出させる露出口が形成されている請求項２に記載の薄型表示装置用の収容ケース。
【請求項４】
前記露出口が、前記背面カバー板部の延長方向の先端に開口している請求項３に記載の薄型表示装置用の収容ケース。
【請求項５】
前記一対のカバー板部は、それぞれ前記支持板部に対して回転可能に接続され、
前記ハンドル部は、前記カバー板部に一体に形成されている請求項２から請求項４のいずれか一項に記載の薄型表示装置用の収容ケース。
【請求項６】
前記ハンドル部は、前記ケース本体のうち前記支持板部の長手方向の両端において前記カバー板部の延長方向の先端に対応する位置に設けられている請求項２から請求項５のいずれか一項に記載の薄型表示装置用の収容ケース。
【請求項７】
前記ハンドル部は、前記ケース本体に対して回転可能に設けられている請求項１から請求項６のいずれか一項に記載の薄型表示装置用の収容ケース。
【請求項８】
請求項１から請求項６のいずれか一項に記載の収容ケースと、
板状に形成され、前記収容ケースに収容される薄型表示装置と、
前記薄型表示装置が収容された前記収容ケースを入れる梱包箱と、を備える薄型表示装置の梱包構造。
【請求項９】
板状に形成された薄型表示装置を請求項１から請求項６のいずれか一項に記載の収容ケースの前記収容空間に配した後に、前記薄型表示装置及び前記収容ケースを梱包箱に入れる薄型表示装置の梱包方法。
【発明の詳細な説明】
【技術分野】
【０００１】
本発明は、薄型表示装置用の収容ケース、薄型表示装置の梱包構造及び薄型表示装置の梱包方法に関する。
【背景技術】
【０００２】
近年、有機ＥＬディスプレイ等の大型の薄型表示装置には、薄型化、軽量化の要求、また、コストダウンの要求などに伴い、開梱時や設置時に薄型表示装置を持ち運ぶためのハンドルを設けないものがある。
特許文献１には、２つの部材（フレーム本体と封鎖部材）をねじ止めで相互に結合することで、携帯型の薄型表示装置（タブレットコンピュータ）の四辺を囲ってディスプレイを保護する枠体を構成した保護フレームが開示されている。特許文献１の保護フレームの枠体には、持ち運び用のハンドルが取り付けられている。
【先行技術文献】
【特許文献】
【０００３】
【特許文献１】実用新案登録第３１７９１６９号公報
【発明の概要】
【発明が解決しようとする課題】
【０００４】
ハンドルが無い大型の薄型表示装置では、これを梱包箱から取り出したり設置したりする際に、薄型表示装置を作業者の手で掴む必要がある。しかしながら、薄型表示装置を掴む際には、作業者の手指が薄型表示装置の表示面に押し付けられる可能性があり、好ましくない。
例えば、特許文献１の保護フレームをハンドルが無い大型の薄型表示装置に適用することも考えられるが、大型の薄型表示装置を設置する際には、保護フレームを薄型表示装置から取り外す必要がある。しかしながら、特許文献１の保護フレームを薄型表示装置から取り外すためには、枠体を２つの部材に分解する必要があるため、薄型表示装置の開口や設置が面倒となる。
【０００５】
この発明は、上述した事情に鑑みてなされたものであって、薄型表示装置の表示面に触れることなく、薄型表示装置を容易に開梱したり設置したりすることができる薄型表示装置用の収容ケース、薄型表示装置の梱包構造及び薄型表示装置の梱包方法を提供することを目的とする。
【課題を解決するための手段】
【０００６】
本発明に係る薄型表示装置用の収容ケースは、板状に形成された薄型表示装置を収容する収容空間及び該収容空間を一方向に開放する開口部を有するケース本体と、前記収容空間の外側に突出するように前記ケース本体に設けられたハンドル部と、を備えることを特徴とする。
【０００７】
本発明の薄型表示装置の梱包構造は、前記収容ケースと、板状に形成され、前記収容ケースに収容される薄型表示装置と、前記薄型表示装置が収容された前記収容ケースを入れる梱包箱と、を備えることを特徴とする。
【０００８】
本発明の薄型表示装置の梱包方法は、板状に形成された薄型表示装置を前記収容ケースの前記収容空間に配した後に、前記薄型表示装置及び前記収容ケースを梱包箱に入れることを特徴とする。
【発明の効果】
【０００９】
本発明によれば、薄型表示装置の表示面に触れることなく、薄型表示装置を容易に開梱したり設置したりすることができる。
【図面の簡単な説明】
【００１０】
【図１】本発明の一実施形態に係る収容ケース及びこれに収容される薄型表示装置を示す斜視図である。
【図２】本発明の一実施形態において、薄型表示装置が収容された収容ケースを背面カバー板部側から見た背面図である。
【図３】本発明の一実施形態に係る薄型表示装置の梱包構造を示す斜視図である。
【図４】本発明の他の実施形態に係る収容ケースの要部を示す図である。
【図５】本発明の他の実施形態に係る収容ケースを示す斜視図である。
【図６】本発明の他の実施形態に係る収容ケースを示す斜視図である。
【図７】本発明の他の実施形態に係る収容ケースに薄型表示装置を収容した状態を示す背面図である。
【図８】本発明の他の実施形態に係る収容ケースを示す斜視図である。
【発明を実施するための形態】
【００１１】
以下、図１〜３を参照して本発明の一実施形態について説明する。
図１に示すように、本実施形態に係る収容ケース１は、板状の薄型表示装置２を収容する。薄型表示装置２は、矩形の板状に形成されている。薄型表示装置２の厚さ方向における一方側の面は、画像を表示するための表示面２ａとされている。また、表示面２ａと反対側に向く薄型表示装置２の面は、背面２ｂである。薄型表示装置２の背面２ｂには、薄型表示装置２を壁やスタンドに設置するためのネジ２１が設けられている。薄型表示装置２は、例えば大型の液晶ディスプレイや有機ＥＬディスプレイ等であってよい。
【００１２】
収容ケース１は、ケース本体と、ハンドル部１２と、を備える。
ケース本体１１は、薄型表示装置２を収容する収容空間１３、及び、収容空間１３を一方向に開放する開口部１４を有する。開口部１４は、薄型表示装置２を収容空間１３に対して出し入れする出入口である。収容空間１３は、薄型表示装置２に対応する形状（直方体状）に形成されている。開口部１４は、薄型表示装置２をその短辺に沿う方向から見た形状に対応している。図１において、開口部１４はケース本体１１の上端に位置する。すなわち、ケース本体１１は上方に開口する。
【００１３】
ケース本体１１は、支持板部１５と、一対のカバー板部１６，１７と、を備える。本実施形態のケース本体１１は、一対の側板部１８をさらに備える。
支持板部１５は、帯板状に形成され、薄型表示装置２を支持する。すなわち、支持板部１５はケース本体１１の底部を構成する。本実施形態の支持板部１５は、開口部１４側から見た平面視で長方形状に形成されている。支持板部１５の長手方向の寸法は、薄型表示装置２の長辺に対応しており、薄型表示装置２の長辺と同じ又は長辺よりも若干長い。支持板部１５の幅方向の寸法は、薄型表示装置２の厚さに対応しており、薄型表示装置２の厚さに対して同じ又は厚さよりも若干長い。本実施形態において、支持板部１５は、収容空間１３に配された薄型表示装置２を、その一方の長辺に対応する薄型表示装置２の一方の第一側部２ｃ側から支持する。
【００１４】
一対のカバー板部１６，１７は、支持板部１５の幅方向の両端部から支持板部１５の板厚方向に延びている。各カバー板部１６，１７の延長方向の長さは、薄型表示装置２の短辺に対応しており、薄型表示装置２の短辺と同じ又は短辺よりも若干長い。各カバー板部１６，１７は、支持板部１５の長手方向の全体にわたって形成されている。一方のカバー板部１６は、収容空間１３に配された薄型表示装置２の表示面２ａを覆う表示面カバー板部１６である。他方のカバー板部１７は、収容空間１３に配された薄型表示装置２の背面２ｂを覆う背面カバー板部１７である。
【００１５】
一対の側板部１８は、支持板部１５の長手方向の両端部から支持板部１５の板厚方向に延びている。各側板部１８の延長方向の長さは、前述したカバー板部１６，１７の長さと同じである。本実施形態において、一対の側板部１８は、それぞれ薄型表示装置２の一対の短辺に対応する薄型表示装置２の両側部２ｄを覆う。
一対の側板部１８は、それぞれ一対のカバー板部１６，１７に接続されている。そして、収容ケース１の開口部１４は、一対のカバー板部１６，１７の延長方向の先端及び一対の側板部１８の延長方向の先端によって画成されている。すなわち、本実施形態の収容ケース１は、一方向（図１において上方）に開口する有底の箱状に形成されている。
【００１６】
図１，２に示すように、背面カバー板部１７には、収容空間１３に配された薄型表示装置２の背面２ｂの一部を収容空間１３の外側に露出させる露出口１９が形成されている。露出口１９は、背面カバー板部１７の板厚方向に貫通して形成されている。露出口１９は、背面カバー板部１７の延長方向の先端に開口している。言い換えれば、露出口１９は、背面カバー板部１７の先端から基端側に窪むように形成されている。
本実施形態の露出口１９は、収容ケース１を背面カバー板部１７側から見て、長方形状に形成されている。
【００１７】
本実施形態の露出口１９は、薄型表示装置２の背面２ｂに設けられたネジ２１を露出させるように形成されている。露出口１９は、収容ケース１を背面カバー板部１７側から見て、露出口１９の縁がネジ２１に対して所定の間隔（例えば３０ｍｍ以上）をあけて位置するように形成されるとよい。この場合、壁やスタンドなどに対する薄型表示装置２の設置、あるいは、薄型表示装置２を壁やスタンドなどに設置するための金具の取り付けが、背面カバー板部１７によって阻害されることを防止できる。すなわち、薄型表示装置２の設置や金具の取り付けを容易に行うことができる。
なお、収容ケース１を背面カバー板部１７側から見た露出口１９の大きさは、背面カバー板部１７の剛性が過度に低下しないように、ネジ２１が露出する最低限の大きさに設定されるとよい。
【００１８】
以上のように構成されるケース本体１１は、例えば段ボールや厚紙等で形成することができる。
【００１９】
ハンドル部１２は、作業者の手で掴む収容ケース１の部位であり、ケース本体１１の収容空間１３の外側に突出するようにケース本体１１に設けられている。ハンドル部１２は、ケース本体１１の任意の箇所に設けられてよい。
本実施形態のハンドル部１２は、ケース本体１１のうち支持板部１５の長手方向の両端においてカバー板部１６，１７の延長方向の先端に対応する位置に設けられている。すなわち、本実施形態の収容ケース１には、２つのハンドル部１２が設けられている。また、本実施形態のハンドル部１２は、ケース本体１１の外面から突出するように設けられている。具体的に、ハンドル部１２は一対の側板部１８の外面から支持板部１５の長手方向に突出している。
【００２０】
本実施形態の収容ケース１は、図３に示すように、薄型表示装置２及び梱包箱３と共に薄型表示装置の梱包構造を構成する。本実施形態の梱包箱３は、段ボール等からなり、上方に開閉可能な開口３１を有する箱状に形成されている。
薄型表示装置の梱包構造では、薄型表示装置２が収容ケース１に収容される。薄型表示装置２を収容したケース本体１１の表示面カバー板部１６は、薄型表示装置２の表示面２ａ全体を覆う。一方、背面カバー板部１７は薄型表示装置２の背面２ｂのうち露出口１９によって露出する領域を除く他の領域を覆う。そして、これら薄型表示装置２及び収容ケース１が梱包箱３に入れられる。収容ケース１を梱包箱３に入れた状態において、収容ケース１のハンドル部１２は、梱包箱３の開口３１の近くに位置する。
【００２１】
さらに、本実施形態の梱包構造は、緩衝材４も備える。緩衝材４は、発泡スチロール等からなり、梱包箱３内において梱包箱３の内面と梱包箱３に入れた薄型表示装置２及び収容ケース１との間に介在する。これにより、薄型表示装置２及び収容ケース１が梱包箱３の内面に接触することを防止できる。また、梱包箱３の外部から衝撃が加えられても、当該衝撃を緩衝材４において吸収することができる。これにより、梱包箱３の外部からの衝撃が薄型表示装置２に作用することを好適に抑制できる。
図示例において、緩衝材４は、収容ケース１のうちカバー板部１６，１７の延長方向の両端部、すなわち、収容ケース１の開口部１４側の部位及び支持板部１５側の部位に取り付けられるが、これに限ることはない。
【００２２】
次に、本実施形態の収容ケース１を用いた薄型表示装置の梱包方法について説明する。
薄型表示装置２を梱包する際には、はじめに、薄型表示装置２を収容ケース１に収容する。本実施形態では、図１に示すように、薄型表示装置２を収容ケース１の開口部１４から収容空間１３に挿入することで、図３に示すように薄型表示装置２が収容ケース１に収容される。
【００２３】
その後、薄型表示装置２及び収容ケース１を梱包箱３に入れることで、薄型表示装置の梱包方法が完了する。
梱包箱３に対して収容ケース１を入れる際には、収容ケース１の支持板部１５側から梱包箱３に挿入する。これにより、収容ケース１が梱包箱３に収容された状態では、ハンドル部１２が梱包箱３の開口３１の近くに位置する。
また、本実施形態の梱包方法では、薄型表示装置２及び収容ケース１を梱包箱３に入れる際に緩衝材４も梱包箱３に入れる。緩衝材４は、梱包箱３内において梱包箱３の内面と梱包箱３に入れた薄型表示装置２及び収容ケース１との間に介在する。
【００２４】
以上説明したように、本実施形態に係る薄型表示装置用の収容ケース１によれば、薄型表示装置２を収容するケース本体１１と、ケース本体１１に設けられたハンドル部１２と、を備える。このため、作業者は、薄型表示装置２を収容ケース１に収容した状態で収容ケース１のハンドル部１２を掴むことで、薄型表示装置２を開梱したり設置したりする際に表示面２ａに触れることなく簡単に持ち運ぶことができる。また、薄型表示装置２は、収容ケース１の開口部１４を通じて収容空間１３に対して簡単に出し入れすることができる。したがって、薄型表示装置２を容易に開梱したり設置したりすることができる。例えば、梱包箱３に収容された収容ケース１のハンドル部１２を掴むことで、薄型表示装置２の表示面２ａに触れることなく、収容ケース１及び薄型表示装置２を簡単に梱包箱３から取り出すことができる。
【００２５】
また、本実施形態の収容ケース１によれば、ケース本体１１は、薄型表示装置２を支持する帯板状の支持板部１５と、薄型表示装置２の表示面２ａ及び背面２ｂをそれぞれ覆う一対のカバー板部１６，１７を備える。これにより、収容ケース１に収容された薄型表示装置２の表示面２ａ及び背面２ｂを好適に保護することができる。
【００２６】
また、本実施形態の収容ケース１によれば、背面カバー板部１７には、薄型表示装置２の背面２ｂの一部を収容空間１３の外側に露出させる露出口１９が形成されている。このため、薄型表示装置２を収容ケース１に収容したままで、薄型表示装置２の背面２ｂを壁やスタンドに接続して薄型表示装置２を壁やスタンドに設置することができる。また、薄型表示装置２を収容ケース１に収容したままで、薄型表示装置２を設置するための金具を薄型表示装置２の背面２ｂに取り付けることもできる。すなわち、薄型表示装置２の設置作業の際に、薄型表示装置２を収容ケース１によって保護することができる。
【００２７】
また、本実施形態の収容ケース１では、背面カバー板部１７に形成された露出口１９が、ケース本体１１の開口部１４をなす背面カバー板部１７の延長方向の先端に開口している。このため、薄型表示装置２の背面２ｂと壁やスタンドとの接続部分、あるいは、薄型表示装置２の背面２ｂに取り付けられた金具を、露出口１９の開口に通して露出口１９から抜き出すことができる。したがって、薄型表示装置２を壁やスタンドに設置した後、また、薄型表示装置２に設置用の金具を薄型表示装置２に取り付けた後に、薄型表示装置２を収容ケース１から簡単に取り出すことができる。
【００２８】
また、本実施形態の収容ケース１によれば、ハンドル部１２がカバー板部１６，１７の延長方向の先端に対応する位置に設けられている。このため、薄型表示装置２を収容ケース１に収容して収容ケース１の開口部１４を鉛直方向上側に向けた状態では、ハンドル部１２が薄型表示装置２の重心よりも鉛直方向上側に位置する。また、ハンドル部１２が支持板部１５の長手方向の両端に対応する位置に設けられることで、ハンドル部１２は支持板部１５の長手方向において薄型表示装置２の重心の両側に位置する。このため、作業者がハンドル部１２を掴んで薄型表示装置２を含む収容ケース１を持ち上げた状態において、収容ケース１が薄型表示装置２の重みによって傾くことを抑制できる。したがって、薄型表示装置２を含む収容ケース１を安定に持ち持ち運ぶことができる。
【００２９】
また、本実施形態に係る薄型表示装置の梱包構造及び梱包方法によれば、ハンドル部１２を備える収容ケース１に薄型表示装置２が収容された上で、これら薄型表示装置２及び収容ケース１が梱包箱３に収容される。このため、薄型表示装置２を梱包箱３から取り出す際には、収容ケース１のハンドル部１２を掴むことで、薄型表示装置２の表示面２ａに触れることなく、収容ケース１及び薄型表示装置２を簡単に梱包箱３から取り出すことができる。
【００３０】
また、本実施形態の梱包構造及び梱包方法によれば、梱包箱３に入れられた収容ケース１のハンドル部１２が、梱包箱３の開口３１の近くに位置する。このため、薄型表示装置２を開梱する際には、作業者が梱包箱３に収容された収容ケース１のハンドル部１２を掴みやすくなる。これにより、収容ケース１及びこれに収容された薄型表示装置２を容易に梱包箱３から取り出すことができる。
【００３１】
以上、本発明に係る薄型表示装置用の収容ケース１、梱包構造及び梱包方法の一実施形態について説明したが、本発明は上記の実施形態に限定されるものではなく、その趣旨を逸脱しない範囲において適宜変更可能である。
【００３２】
本発明の収容ケースにおいて、ハンドル部１２は、例えば図４に示すように、ケース本体１１に対して回転可能に設けられてよい。具体的に、ハンドル部１２は、ケース本体１１に対して、図４（ａ）に示すようにケース本体１１から離れる方向に延びる第一位置Ｐ１と、図４（ｂ）に示すようにケース本体１１から離れない方向に延びる第二位置Ｐ２との間で、回転可能とされている。図４に例示するハンドル部１２は、ケース本体１１の外面に設けられている。このため、第一位置Ｐ１に配されたハンドル部１２は、ケース本体１１の外面から突出する。一方、第二位置Ｐ２に配されたハンドル部１２は、ケース本体１１の外面に重ねて配される。
このような構成では、ハンドル部１２をケース本体１１に対して折り畳むことができる。したがって、薄型表示装置２が収容された収容ケースを梱包する梱包箱３（図３参照）の容積を小さくすることができる。
【００３３】
本発明の収容ケースにおいて、ハンドル部１２は、例えば図５に示すように、ケース本体１１のうちカバー板部１６，１７の延長方向の先端に対応する位置に加え、カバー板部１６，１７の延長方向の基端に対応する位置にも設けられてよい。
この場合には、作業者がこれらのハンドル部１２を掴むことで、薄型表示装置２が収容された収容ケース１Ｂを持ち運ぶ際に、収容ケース１Ｂの下端部が揺れることを抑制できる。したがって、薄型表示装置２をより安定に持ち運ぶことができる。
【００３４】
本発明の収容ケースにおいて、ケース本体１１は、例えば図６に示すように、支持板部１５及び一対のカバー板部１６，１７のみによって構成されてよい。この場合、一対のカバー板部１６，１７は、それぞれ支持板部１５に対して回転可能に接続されてよい。また、ハンドル部１２はカバー板部１６，１７に一体に形成されてよい。なお、ハンドル部１２は、支持板部１５の長手方向の両端のそれぞれにおいて、一対のカバー板部１６，１７の両方に形成されるとよい。
【００３５】
図６に例示した構成では、収容ケース１Ｃを折曲可能な一枚の板材から製造することが可能となる。これにより、収容ケース１Ｃの製造コストを抑えることができる。
さらに、図６に例示した収容ケース１Ｃでは、例えば薄型表示装置２を支持板部１５上に配した後に、各カバー板部１６，１７を支持板部１５に対して折り曲げることで、薄型表示装置２を収容ケース１Ｃに収容することもできる。
【００３６】
また、図６に例示した収容ケース１Ｃでは、各カバー板部１６，１７が薄型表示装置２の表示面２ａや背面２ｂから離れるように、各カバー板部１６，１７を支持板部１５に対して回転させることで、薄型表示装置２を収容ケース１Ｃから取り出すこともできる。このため、仮に背面カバー板部１７の露出口１９が背面カバー板部１７の延長方向の先端に開口していなくても、金具を取り付けた後の薄型表示装置２を収容ケース１Ｃから取り出すことができる。
【００３７】
本発明の収容ケースにおいて、収容ケースを背面カバー板部１７側から見た露出口１９の形状は、長方形状に限らず、図７に例示する台形状など任意であってよい。なお、露出口１９の形状を台形状とする場合には、図７に例示するように、台形の長辺が背面カバー板部１７の延長方向の先端に位置し、台形の短辺が背面カバー板部１７の延長方向の基端側に位置するとよい。これにより、薄型表示装置２の設置後に、薄型表示装置２を収容ケースから取り出しやすくなる。
【００３８】
本発明の収容ケースにおいて、露出口１９は例えば複数形成されてもよい。複数の露出口１９は、支持板部１５の長手方向に間隔をあけて配列されてよい。この場合には、薄型表示装置２の背面２ｂに設けられた複数のネジ２１を複数の露出口１９に分けてそれぞれ収容空間１３の外側に露出させることができる。これにより、各露出口１９を小さく形成できるため、背面カバー板部１７の剛性を向上して、薄型表示装置２を収容ケースに安定した状態で収容できる。
【００３９】
本発明の収容ケースにおいては、例えば図８に示すように、背面カバー板部１７に露出口が形成されなくてもよい。
【符号の説明】
【００４０】
１，１Ｂ，１Ｃ  収容ケース
２  薄型表示装置
２ａ  表示面
２ｂ  背面
３  梱包箱
４  緩衝材
１１  ケース本体
１２  ハンドル部
１３  収容空間
１４  開口部
１５  支持板部
１６  表示面カバー板部（カバー板部）
１７  背面カバー板部（カバー板部）
１８  側板部
１９  露出口
【図１】
2020064097.tif 000003
【図２】
2020064097.tif 000004
【図３】
2020064097.tif 000005
【図４】
2020064097.tif 000006
【図５】
2020064097.tif 000007
【図６】
2020064097.tif 000008
【図７】
2020064097.tif 000009
【図８】
2020064097.tif 000010